【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
原油の投入物の流れを軽質留分と重質留分からなる送出物に分離するように構成された原油分離ユニットと；
前記重質留分から不純物を除去するように構成された水素化処理ゾーンと；
前記水素化処理ゾーンからの水素化処理された流出物を、分離器塔頂物と分離器塔底物とに分離するように構成された第１の分離ユニットと；
前記分離器塔頂物を改質器に供給する前に、前記分離器塔頂物から芳香族石油化学製品を抽出するように構成された芳香族抽出サブシステムと；
前記分離器塔底物を、複数のオレフィン系の生成物に分解するように構成された熱分解区画と；を備える、
システム。
【請求項２】
前記芳香族抽出サブシステムは、溶媒抽出及び抽出蒸留のうちの１つ以上により、前記分離器塔頂物の芳香族石油化学製品を前記分離器塔頂物の他の成分から分離するように構成された芳香族抽出ユニットを備える、
請求項１に記載のシステム。
【請求項３】
前記芳香族抽出サブシステムは、前記分離器塔頂物を改質物に変換するように構成された改質器を備え、前記芳香族抽出ユニットは、前記改質物を受け容れるように構成されている、
請求項２に記載のシステム。
【請求項４】
前記改質物は、前記分離器塔頂物と比較して芳香族石油化学製品に富む、
請求項３に記載のシステム。
【請求項５】
前記芳香族抽出サブシステムは、前記改質器からの送出物を、前記改質物と副生成物留分とに分離するように構成された第２の分離ユニットを備える、
請求項３に記載のシステム。
【請求項６】
前記副生成物留分を、水素と軽質ガスとに分離するように構成されたガス分離ユニットを備える、
請求項５に記載のシステム。
【請求項７】
前記水素は前記水素化処理ゾーンへ提供される、
請求項６に記載のシステム。
【請求項８】
前記軽質ガスは前記熱分解区画へ提供される、
請求項６に記載のシステム。
【請求項９】
前記改質器は、水素化分解、異性化、脱水素環化、及び脱水素化のうちの１つ以上により、前記分離器塔頂物を前記改質物に変換するように構成されている、
請求項３に記載のシステム。
【請求項１０】
前記改質器は、芳香族石油化学製品の生産に触媒作用を及ぼすように構成された触媒を備える、
請求項３に記載のシステム。
【請求項１１】
前記分離器塔頂物の前記他の成分は、前記水素化処理ゾーンへ戻される、
請求項２に記載のシステム。
【請求項１２】
前記芳香族抽出ユニットは、前記第２の分離ユニットから前記改質物を受け容れると共に前記改質物と比較して芳香族化合物に富む送出物の流れを生成するように構成されている、
請求項５に記載のシステム。
【請求項１３】
前記芳香族抽出サブシステムは、前記送出物の流れを改質物に変換するように構成された改質器を備え、前記芳香族抽出ユニットは、前記改質物を受け容れるように構成されている、
請求項１２に記載のシステム。
【請求項１４】
前記軽質留分は前記熱分解区画へ提供される、
請求項１に記載のシステム。
【請求項１５】
前記水素化処理ゾーンからの流出物を、前記水素化処理ゾーンから送り出されたガスと、前記水素化処理ゾーンから送り出された液体とに分離するように構成された第４の分離ゾーンを備える、
請求項１に記載のシステム。
【請求項１６】
前記水素化処理ゾーンから送り出されたガスを、水素と軽質ガスとに分離するように構成されたガス分離ユニットを備える、
請求項１に記載のシステム。
【請求項１７】
前記水素は前記水素化処理ゾーンに提供される、
請求項１６に記載のシステム。
【請求項１８】
前記軽質ガスは前記熱分解区画に提供される、
請求項１６に記載のシステム。
【請求項１９】
前記分離器塔底物から燃料油を除去するように構成された第５の分離ゾーンを備え、前記第５の分離ゾーンは前記熱分解区画の上流に配置されている、
請求項１に記載のシステム。
【請求項２０】
前記第１の分離ユニットはフラッシュ分離装置を備える、
請求項１に記載のシステム。
【請求項２１】
前記第１の分離ユニットは、物理的又は機械的に蒸気を液体から分離する分離装置を備える、
請求項１に記載のシステム。
【請求項２２】
前記熱分解区画は蒸気熱分解ユニットを備える、
請求項１に記載のシステム。
【請求項２３】
前記熱分解区画は、前記分離器塔底物を、メタン、エチレン、プロピレン、ブタジエン、及びブテンのうちの１種以上に分解するように構成されている、
請求項１に記載のシステム。
【請求項２４】
前記水素化処理ゾーンは、（ｉ）水素化脱金属触媒と；（ｉｉ）水素化脱芳香族、水素化脱窒素、水素化脱硫、及び水素化分解の機能のうちの１つ以上を有する触媒と；のうちの１つ以上を備える、
請求項１に記載のシステム。
【請求項２５】
前記分解された分離器塔底物を複数の流れに分離するように構成された精製ユニットを備え、各流れは前記複数の生成物のうちの１つに対応する、
請求項１に記載のシステム。
【請求項２６】
原油分離ユニットにおいて、原油の投入物の流れを軽質留分と重質留分からなる送出物に分離するステップと；
水素化処理ゾーンにおいて、前記重質留分から不純物を除去するステップと；
第１の分離ユニットにおいて、前記水素化処理ゾーンからの水素化処理された流出物を、分離器塔頂物と分離器塔底物とに分離するステップと；
芳香族抽出サブシステムにおいて、前記分離器塔頂物を改質器に供給する前に、前記分離器塔頂物から芳香族石油化学製品を抽出するステップと；
熱分解区画において、前記分離器塔底物を複数のオレフィン系の生成物に分解するステップと；を備える、
方法。
【請求項２７】
前記分離器塔頂物から芳香族石油化学製品を抽出するステップは、溶媒抽出及び抽出蒸留のうちの１つ以上により、前記分離器塔頂物の前記芳香族石油化学製品を前記分離器塔頂物の他の成分から分離するステップを備える、
請求項２６に記載の方法。
【請求項２８】
前記分離器塔頂物から芳香族石油化学製品を抽出するステップは、前記分離器塔頂物を改質器で改質物に変換するステップを備える、
請求項２７に記載の方法。
【請求項２９】
前記改質物は、前記分離器塔頂物と比較して芳香族石油化学製品に富む、
請求項２８に記載の方法。
【請求項３０】
前記改質器からの送出物を、前記改質物と副生成物留分とに分離するステップを備える、
請求項２９に記載の方法。
【請求項３１】
前記副生成物留分を、水素と軽質ガスとに分離するステップを備える、
請求項３０に記載の方法。
【請求項３２】
前記水素を前記水素化処理ゾーンへ提供するステップを備える、
請求項３１に記載の方法。
【請求項３３】
前記軽質ガスを前記熱分解区画へ提供するステップを備える、
請求項３１に記載の方法。
【請求項３４】
前記分離器塔頂物を改質物に変換するステップは、水素化分解、異性化、脱水素環化、及び脱水素化のうちの１つ以上を行うステップを備える、
請求項２８に記載の方法。
【請求項３５】
前記分離器塔頂物の前記他の成分を前記水素化処理ゾーンへ戻すステップを備える、
請求項２７に記載の方法。
【請求項３６】
前記分離器塔頂物から芳香族石油化学製品を抽出するステップは、前記分離器塔頂物と比較して芳香族化合物に富む送出物の流れを生成するステップを備える、
請求項２７に記載の方法。
【請求項３７】
前記軽質留分を前記熱分解区画へ提供するステップを備える、
請求項２６に記載の方法。
【請求項３８】
前記分離器塔頂物を、水素と軽質ガスとに分離するステップを備える、
請求項２６に記載の方法。
【請求項３９】
前記水素を前記水素化処理ゾーンに提供するステップを備える、
請求項３８に記載の方法。
【請求項４０】
前記軽質ガスを前記熱分解区画に提供するステップを備える、
請求項３８に記載の方法。
【請求項４１】
前記熱分解区画の前に前記分離器塔底物から燃料油を除去するステップを備える、
請求項２６に記載の方法。
【請求項４２】
前記分離器塔底物を複数の生成物に分解するステップは、前記分離器塔底物を、メタン、エチレン、プロピレン、ブタジエン、及びブテンのうちの１種以上に分解するステップを備える、
請求項２６に記載の方法。
【請求項４３】
前記分解された分離器塔底物を複数の流れに分離するステップを備え、各流れは生成物のうちの１つに対応する、
請求項２６に記載の方法。
【手続補正２】
【補正対象書類名】明細書
【補正対象項目名】００８６
【補正方法】変更
【補正の内容】
【００８６】
他の実施も下記の特許請求の範囲に含まれる。
［第１の局面］
原油から不純物を除去するように構成された水素化処理ゾーンと；
前記水素化処理ゾーンから送り出された液体を、軽質留分と重質留分とに分離するように構成された第１の分離ユニットと；
前記軽質留分から芳香族石油化学製品を抽出するように構成された芳香族抽出サブシステムと；
前記重質留分を、複数のオレフィン系の生成物に分解するように構成された熱分解区画と；を備える、
システム。
［第２の局面］
前記芳香族抽出サブシステムは、溶媒抽出及び抽出蒸留のうちの１つ以上により、前記軽質留分の芳香族石油化学製品を前記軽質留分の他の成分から分離するように構成された芳香族抽出ユニットを備える、
第１の局面に記載のシステム。
［第３の局面］
前記芳香族抽出サブシステムは、前記軽質留分を改質物に変換するように構成された改質器を備え、前記芳香族抽出ユニットは、前記改質物を受け容れるように構成されている、
第２の局面に記載のシステム。
［第４の局面］
前記改質物は、前記軽質留分と比較して芳香族石油化学製品に富む、
第３の局面に記載のシステム。
［第５の局面］
前記芳香族抽出サブシステムは、前記改質器からの送出物を、前記改質物と副生成物留分とに分離するように構成された第２の分離ユニットを備える、
第３の局面又は第４の局面に記載のシステム。
［第６の局面］
前記副生成物留分を、水素と軽質ガスとに分離するように構成されたガス分離ユニットを備える、
第５の局面に記載のシステム。
［第７の局面］
前記水素は前記水素化処理ゾーンへ提供される、
第６の局面に記載のシステム。
［第８の局面］
前記軽質ガスは前記熱分解区画へ提供される、
第６の局面又は第７の局面に記載のシステム。
［第９の局面］
前記改質器は、水素化分解、異性化、脱水素環化、及び脱水素化のうちの１つ以上により、前記軽質留分を前記改質物に変換するように構成されている、
第３の局面乃至第８の局面のいずれかに記載のシステム。
［第１０の局面］
前記改質器は、芳香族石油化学製品の生産に触媒作用を及ぼすように構成された触媒を備える、
第３の局面乃至第９の局面のいずれかに記載のシステム。
［第１１の局面］
前記軽質留分の前記他の成分は、前記水素化処理ゾーンへ戻される、
第２の局面乃至第１０の局面のいずれかに記載のシステム。
［第１２の局面］
前記芳香族抽出ユニットは、前記第２の分離ユニットから前記軽質留分を受け容れると共に前記軽質留分と比較して芳香族化合物に富む送出物の流れを生成するように構成されている、
第２の局面乃至第１１の局面のいずれかに記載のシステム。
［第１３の局面］
前記芳香族抽出サブシステムは、前記送出物の流れを改質物に変換するように構成された改質器を備え、前記芳香族抽出ユニットは、前記改質物を受け容れるように構成されている、
第１２の局面に記載のシステム。
［第１４の局面］
原油の投入物の流れを軽質原油留分と重質原油留分とに分離するように構成された第３の分離ゾーンを備え、前記水素化処理ゾーンは、前記重質原油留分から不純物を除去するように構成されている、
第１の局面乃至第１３の局面のいずれかに記載のシステム。
［第１５の局面］
前記軽質原油留分は前記熱分解区画へ提供される、
第１４の局面に記載のシステム。
［第１６の局面］
前記水素化処理ゾーンからの流出物を、前記水素化処理ゾーンから送り出されたガスと、前記水素化処理ゾーンから送り出された前記液体とに分離するように構成された第４の分離ゾーンを備える、
第１の局面乃至第１５の局面のいずれかに記載のシステム。
［第１７の局面］
前記水素化処理ゾーンから送り出されたガスを、水素と軽質ガスとに分離するように構成されたガス分離ユニットを備える、
第１の局面乃至第１６の局面のいずれかに記載のシステム。
［第１８の局面］
前記水素は前記水素化処理ゾーンに提供される、
第１７の局面に記載のシステム。
［第１９の局面］
前記軽質ガスは前記熱分解区画に提供される、
第１７の局面又は第１８の局面に記載のシステム。
［第２０の局面］
前記重質留分から燃料油を除去するように構成された第５の分離ゾーンを備え、前記第５の分離ゾーンは前記熱分解ユニットの上流に配置されている、
第１の局面乃至第１９の局面のいずれかに記載のシステム。
［第２１の局面］
前記第１の分離ゾーンはフラッシュ分離装置を備える、
第１の局面乃至第２０の局面のいずれかに記載のシステム。
［第２２の局面］
前記第１の分離ゾーンは、物理的又は機械的に蒸気を液体から分離する分離装置を備える、
第１の局面乃至第２１の局面のいずれかに記載のシステム。
［第２３の局面］
前記熱分解区画は蒸気熱分解ユニットを備える、
第１の局面乃至第２２の局面のいずれかに記載のシステム。
［第２４の局面］
前記熱分解区画は、前記重質留分を、メタン、エチレン、プロピレン、ブタジエン、及びブテンのうちの１種以上に分解するように構成されている、
第１の局面乃至第２３の局面のいずれかに記載のシステム。
［第２５の局面］
前記水素化処理ゾーンは、（ｉ）水素化脱金属触媒と；（ｉｉ）水素化脱芳香族、水素化脱窒素、水素化脱硫、及び水素化分解の機能のうちの１つ以上を有する触媒と；のうちの１つ以上を備える、
第１の局面乃至第２４の局面のいずれかに記載のシステム。
［第２６の局面］
前記分解された重質留分を複数の流れに分離するように構成された精製ユニットを備え、各流れは前記複数の生成物のうちの１つに対応する、
第１の局面乃至第２５の局面のいずれかに記載のシステム。
［第２７の局面］
水素化処理プロセスにより、原油から不純物を除去するステップと；
前記水素化処理プロセスから送り出された液体を、軽質留分と重質留分とに分離するステップと；
前記軽質留分から芳香族石油化学製品を抽出するステップと；
熱分解プロセスにより、前記重質留分を複数のオレフィン系の生成物に分解するステップと；を備える、
方法。
［第２８の局面］
前記軽質留分から芳香族石油化学製品を抽出するステップは、溶媒抽出及び抽出蒸留のうちの１つ以上により、前記軽質留分の芳香族石油化学製品を前記軽質留分の他の成分から分離するステップを備える、
第２７の局面に記載の方法。
［第２９の局面］
前記軽質留分から芳香族石油化学製品を抽出するステップは、前記軽質留分を改質器で改質物に変換するステップを備える、
第２８の局面に記載の方法。
［第３０の局面］
前記改質物は、前記軽質留分と比較して芳香族石油化学製品に富む、
第２９の局面に記載の方法。
［第３１の局面］
前記改質器からの送出物を、前記改質物と副生成物留分とに分離するステップを備える、
第３０の局面に記載の方法。
［第３２の局面］
前記副生成物留分を、水素と軽質ガスとに分離するステップを備える、
第３１の局面に記載の方法。
［第３３の局面］
前記水素を前記水素化処理ゾーンへ提供するステップを備える、
第３２の局面に記載の方法。
［第３４の局面］
前記軽質ガスを前記熱分解区画へ提供するステップを備える、
第３２の局面又は第３３の局面に記載の方法。
［第３５の局面］
前記軽質留分を改質物に変換するステップは、水素化分解、異性化、脱水素環化、及び脱水素化のうちの１つ以上を行うステップを備える、
第２９の局面乃至第３４の局面のいずれかに記載の方法。
［第３６の局面］
前記軽質留分の前記他の成分を前記水素化処理プロセスへ戻すステップを備える、
第２８の局面乃至第３５の局面のいずれかに記載の方法。
［第３７の局面］
前記軽質留分から芳香族石油化学製品を抽出するステップは、前記軽質留分と比較して芳香族化合物に富む送出物の流れを生成するステップを備える、
第２８の局面乃至第３６の局面のいずれかに記載の方法。
［第３８の局面］
原油の投入物の流れを軽質原油留分と重質原油留分とに分離するステップを備え、前記原油から不純物を除去するステップは、前記重質原油留分から不純物を除去するステップを備える、
第２７の局面乃至第３７の局面のいずれかに記載の方法。
［第３９の局面］
前記軽質原油留分を前記熱分解区画へ提供するステップを備える、
第３８の局面に記載の方法。
［第４０の局面］
前記水素化処理プロセスからの流出物をガスと前記液体とに分離するステップを備える、
第２７の局面乃至第３９の局面のいずれかに記載の方法。
［第４１の局面］
前記水素化処理プロセスから送り出されたガスを、水素と軽質ガスとに分離するステップを備える、
第２７の局面乃至第４０の局面のいずれかに記載の方法。
［第４２の局面］
前記水素を前記水素化処理プロセスに提供するステップを備える、
第４１の局面に記載の方法。
［第４３の局面］
前記軽質ガスを前記熱分解プロセスに提供するステップを備える、
第４１の局面又は第４２の局面に記載の方法。
［第４４の局面］
前記熱分解プロセスの前に前記重質留分から燃料油を除去するステップを備える、
第２７の局面乃至第４３の局面のいずれかに記載の方法。
［第４５の局面］
前記重質留分を複数の生成物に分解するステップは、前記重質留分を、メタン、エチレン、プロピレン、ブタジエン、及びブテンのうちの１種以上に分解するステップを備える、
第２７の局面乃至第４４の局面のいずれかに記載の方法。
［第４６の局面］
前記分解された重質留分を複数の流れに分離するステップを備え、各流れは前記複数の生成物のうちの１つに対応する、
第２７の局面乃至第４５の局面のいずれかに記載の方法。